(57)【要約】【課題】硬化した、あるいは粘性の高い畝地表面を撹拌して除草できる除草タイン及び回転除草輪を提供する。【解決手段】回転ベースに伴なって回動する除草タインのアームを回動方向に向けて凹状に湾曲させ、畝面に接触する裏面の湾曲長手方向に沿って、先端を鋭角な刃形に形成した突起を形成する。回転ベースの縁辺に、回動方向へ凹状に湾曲させた複数の除草タインを斜め上方へ向けて放射状に配設するとともに、斜め下方に向けて複数の接地回転駆動脚を放射状に配設した回転除草輪において、前記除草タインの接地面長手方向に沿って、先端を鋭角刃形に形成した一つまたは複数の突起を形成し、除草輪の回転進行に伴なってフレームの前記突起が畝表面を破砕撹拌するようにする。【選択図】図３
2006014616.tif 000002
【特許請求の範囲】
【請求項１】
回転除草輪の回転ベースの縁辺から斜め上方へ向けて放射状に配設される除草タインにおいて、回転ベースに伴なって回動する除草タインのアームを回動方向に向けて凹状に湾曲させ、畝面に接触する裏面の湾曲長手方向に沿って、先端を鋭角な刃形に形成した一つまたは複数の突起を一体に有することを特徴とするカルチベータに取付ける回転除草輪のタイン構造
【請求項２】
前記アームの前記突起部以外の畝対向凹面を、長手方向に沿って断面山形、または鋭角刃形に形成したことを特徴とする請求項１記載のカルチベータに取付ける回転除草輪のタイン構造
【請求項３】
カルチベータのフレームに取付けられる回転ベースの縁辺に、回動方向へ凹状に湾曲させた複数の除草タインを斜め上方へ向けて放射状に配設するとともに、回転ベースの縁辺から斜め下方に向けて複数の接地回転駆動脚を放射状に配設してなり、圃場の畝面に向けて下降傾斜状に取付けられる回転除草輪において、前記除草タインが、畝面に接地する湾曲アームの下面長手方向に沿って、先端を鋭角刃形に形成した一つまたは複数の突起を形成し、除草輪の回転進行に伴なってフレームの前記突起が畝表面を破砕撹拌するようにしたことを特徴とするカルチベータに取付ける回転除草輪
【発明の詳細な説明】
【技術分野】
【０００１】
本発明はカルチベータなどの農業作業機に取付ける回転除草装置の除草タイン及びこのタインを取付けた除草輪の改良に関する。
【背景技術】
【０００２】
広い圃場の除草作業は一般に図５に示すように、トラクタなどに牽引されるカルチベータ１などの作業機に除草装置２を取付けて行なわれる。これらの除草装置２として、回転ベース３の縁辺から斜め上方に向けて複数のアーム状除草タイン４を放射状に取付けるとともに、回転ベース３の縁辺から下方に向けて複数の回転駆動脚５を放射状に取付けた除草輪６を用い、左右一対の除草輪６、６を畝に対して左右対称に下向き傾斜状に配置したものが知られている。
【０００３】
図６に示すように、この種の回転除草装置２の除草輪６、６は、取付フレーム７の下端に傾斜状に回転可能に取付けられており、カウンタウエイト８を有するバランスロアリンク９を介してカルチベータ本体フレームに連結され、下方へ回動した除草タイン４が地表面の凹凸面に追従して所定の圧力で畝に接触するように配設されている。かくして、カルチベータ１と共に牽引される除草輪６の回転駆動脚５が接地抵抗で回転することに伴ない、下降回転するタイン４が畝の地表面１〜３ｃｍを撹拌し、これにより雑草の地中根から土を振り払って活根作用を抑制するようにしている。
【発明の開示】
【発明が解決しようとする課題】
【０００４】
従来の回転除草輪のタインは、湾曲した金属ロッドが用いられており、また添付図５、図６あるいは、特許第３５３２８７５号に見られるようにタインロッドの先端を円形に曲げて撹拌効果を改善する試みもなされているが、雨後などに地表面が乾いて硬化すると、タインが地面を滑って撹拌されず、特に粘度の高い畝では除草作業に不都合が生ずる傾向が顕著であった。
【０００５】
従って、本発明の目的は、雨後の乾燥で表面が硬化した畝にも、また、もともと粘土質で硬い畝地表面に対しても容易に地表面に食い込み、土を砕いて雑草を分離することができる除草輪のタインを提供することにある。
【０００６】
本発明はまた、上記のタインを取付けた回転除草輪を提供することにある。
【課題を解決するための手段】
【０００７】
上記の目的を達成するために、本発明のタイン構造は、回転除草輪の回転ベースの縁辺から斜め上方へ向けて放射状に配設される除草タインにおいて、回転ベースに伴なって回動する除草タインのアームを回動方向に向けて凹状に湾曲させ、畝面に接触する裏面の湾曲アームの長手方向に沿って、先端を鋭角な刃形に形成した一つまたは複数の突起を一体に有することを特徴とする。
【０００８】
上記タイン構造はまた、前記アームの前記突起部以外の畝対向凹面を、長手方向に沿って断面山形または鋭角刃形に形成してもよい。
【０００９】
また、上記の目的を達成するために、本発明の回転除草輪は、カルチベータのフレームに取付けられる回転ベースの縁辺に、回動方向へ凹状に湾曲させた複数の除草タインを斜め上方へ向けて放射状に配設するとともに、回転ベースの縁辺から斜め下方に向けて複数の接地回転駆動脚を放射状に配設してなり、圃場の畝面に向けて下降傾斜状に取付けられる回転除草輪において、前記除草タインが、畝面に接地する湾曲アームの下面長手方向に沿って、先端を鋭角刃形に形成した一つまたは複数の突起を形成し、除草輪の回転進行に伴なってフレームの前記突起が畝表面を破砕撹拌するようにしたことを特徴とする。
【発明の効果】
【００１０】
本発明の除草タイン及びこれを使用した回転除草輪は下降回動に伴って畝に接触する面（裏面）に先端を鋭角刃形に形成した突起を一体に具備しているので、畝地表面が硬化している場合、あるいは粘土質の場合でも回転ベースの回転に伴なって下降回動する除草タインの前記刃形突起が畝の地表面に容易に食い込み、好ましくは１〜３ｃｍの深さで地面を撹拌する。従って、除草タインが雑草の根から土を確実に振り落とし除草効果が向上する。
【００１１】
除草タインの突起間の凹部を同様の鋭角刃形あるいは断面山形に形成することにより、タイン裏面が接触する畝面がまんべんなく撹拌され、除草がゆきとどく。
【００１２】
除草輪の各除草タインのアーム本体は、回動方向に凹状に湾曲し、突起の刃形稜線がアーム本体の湾曲長手方向に形成されていることにより、除草タインで撹拌された土は外側に押し出されることなく、湾曲内側に寄せられて刃形突起で雑草から分離されるので除草の効率が良くなる。
【発明を実施するための最良の形態】
【００１３】
以下、本発明の実施例を添付の図面に基づいて説明する。
本発明の回転除草輪６は、除草装置２に回転自在に連結される回転ベース３の縁辺３´に上方へ湾曲して延びる複数の除草タイン４（又はアーム）を放射状に固定するとともに、回転ベース３の縁辺３´から下方へ延びる複数の回転駆動脚５を放射状に取付けた構成になるもので、この基本構造は従来と同様である。
【００１４】
本発明の除草タイン４の特徴は、図１及び図２示すように、回転ベース３の縁辺３´への取付基部１０から外側斜め上方へ向けて延び、回転ベース３と一体に回動する細長いアーム本体１１を有し、このアーム本体１１は、取付基部１０から斜め上方へ直線状に延在しているとともに、回動方向に向けて凹状に湾曲したアームに形成されており、斜面下面、すなわち、下降回動の際に畝面に接触する裏面の長手方向に沿って、先端を鋭角な刃形１２に形成した突起１３を一体に具備している。
【００１５】
図１、図２の実施例は二個の前記刃形突起１３ａ、１３ｂをアーム本体１１の湾曲長手方向に沿って所定間隔で形成してあるが、突起の個数、間隔等、高さ及び長さはアーム本体１１の長さ、あるいは畝の状況で適宜設定することができる。
除草タイン４のアーム本体１１に複数の突起１３ａ、１３ｂ…を設ける場合は、突起高さを変えることによって撹拌に変化をつけることができる。この場合、先端側突起１３ｂの脚高は作物の根を痛めないように、好ましくは図の実施例のように基端側突起１３ａよりも短くする。
【００１６】
図の実施例による突起１３ａ、１３ｂの先端刃形１２は両側を傾斜させた山形に形成してある。従って、各々の突起１３ａ、１３ｂの刃形稜線はアーム本体１１の湾曲に沿って畝への接地の向きが異なっており、アーム本体１１の湾曲構造と相俟って除草タイン４が接地回動する際に畝の土が内側へ寄せられることにより除草撹拌が活発になるようにしてある。
【００１７】
図１、図２の実施例では、好ましい例としてアーム本体１１の突起１３ａ、１３ｂ間の凹面長手方向も両側を傾斜させた山形の稜線１４に形成し、ここでも畝表面の浅い撹拌と雑草の分離がなされるようにしている。
【００１８】
図１、図２の実施例の除草タイン４は、その基部にアーム本体１１の内側に延びる取付基部１０が一体に設けられているとともに、回転ベース３の縁辺３´から外側へ向けて下方へ延びる回転駆動脚５が除草タイン４のアーム本体１１と一体に形成し、これにより、製造コストの低減化、回転ベース３への着脱作業の簡便化を図っている。
この場合、回転駆動脚５も各縁辺を鋭角な刃形あるいは角形に形成し、回転駆動の接地くい付きを良くすることが望ましい。
【００１９】
図３は本発明の除草タイン４を使用した回転除草輪を示すもので、除草タイン４のアーム本体１１と取付基部１０と回転駆動脚５を一体構成にした図１、図２のタイン部材を用い、多数の除草タイン４が凹状湾曲辺を回動方向に向けて回転ベース３の縁辺３´から上方に放射状に延び、回転駆動脚５が回転ベース３の縁辺３´から下方に向けて放射状に配設されるようにして取付基部１０を介して回転ベース３の縁辺に固定されている。
本発明はこの構成に限定されるものではなく、回転ベース、除草タインフレーム、取付部、駆動脚部を一体構造に成形してもよく、また、各部材を組み付けて一体化してもよい。
【００２０】
これらの一対の回転除草輪６、６は図６の従来例と同様に除草装置２の左右ロアリンク９の下端フレーム７に畝の左右に向けて下降傾斜させて回転可能に取付けられ、畝に向けて下降回動する除草輪６の突起１３ａ、１３ｂが畝の地表面に所定の深さ（１〜３ｃｍ程度）に食い込んで回動するようになっている。
【００２１】
図４は従来例と本発明による除草輪の作用対比図であって、図の左半分は従来例による作用を示し、右半分は本発明による作用を示している。
尚、図中、符号１５は畝、符号１６は作物、符号１７は除草タイン４の接地によって生ずる亀裂であるが、この説明図から明らかなように、従来例では除草タインが畝面を滑ってほとんど亀裂が生じないのに対し、本発明では突起１３ａ、１３ｂの刃形１２が畝面１５の所定深さまで食い込んで多くの複雑な亀裂を発生させ、土の表面を撹拌して雑草根から土を振り落として効率のよい除草が行なわれる。
【産業上の利用可能性】
【００２２】
かくして、本発明は回転除草輪による除草が困難な畝でも土を確実に撹拌することによって除草の効果を上げ、作物の育成に貢献する。
【図面の簡単な説明】
【００２３】
【図１】本発明による除草タインの側面図である。
【図２】本発明による除草タインの平面図である。
【図３】本発明による回転除草輪の全体構成図である。
【図４】従来例の除草輪と本発明の除草輪の作用比較図である。
【図５】カルチベータに取付けた除草輪の一般的使用説明図であり、円内は要部を示す。
【図６】除草輪の一般的取付説明図であり、円内は要部を示す。
【符号の説明】
【００２４】
１…カルチベータ
２…除草装置
３…回転ベース
３´…縁辺
４…除草タイン
５…回転駆動脚
６…除草輪
７…取付フレーム
８…カウンタウエイト
９…バランスロアリンク
１０…取付基部
１１…アーム本体
１２…刃形
１３…突起
１３ａ…基端側突起
１３ｂ…先端側突起
１４…稜線
１５…畝
１６…作物
１７…亀裂
【図１】
2006014616.tif 000003
【図２】
2006014616.tif 000004
【図３】
2006014616.tif 000005
【図４】
2006014616.tif 000006
【図５】
2006014616.tif 000007
【図６】
2006014616.tif 000008